(57)【要約】      （修正有） 【課題】操作性に優れた伸縮型の筆記具ケースを提供する。【解決手段】全体筒状に形成され、底部１１を有すると共に上部は開口する下部ケース部１２と、前記下部ケース部よりも径大に形成され、底部は開口すると共に上部には開閉可能な開口部１３が設けられ、前記下部ケース部の上端部に連結部材を介して接合された上部ケース部１５とを備え、内部に筆記具を収納しうるように構成され、前記筆記具を使用する場合には、前記上部ケース部を下降移動させて前記下部ケース部を外方から被覆すると共に前記開口部を開放した状態で内部に収納された前記筆記具を出し入れして使用し得る一方、不使用時には前記上部ケース部を上昇移動させて前記下部ケース部の上方に配置させて前記筆記具を内部に収納しうる筆記具ケース１０であって、上部ケース本体部１６の側面部１７の径方向両端部には、前記上部ケース本体部を上昇下降操作させうる把持部１８、１８が設けられている。【選択図】図１
0003204373.tif 000002
【実用新案登録請求の範囲】
【請求項１】
全体筒状に形成され、底部を有すると共に上部は開口する下部ケース部と、前記下部ケース部よりも径大に形成され、底部は開口すると共に上部には開閉可能な開口部が設けられ、前記下部ケース部の上端部に連結部材を介して接合された上部ケース部とを備え、内部に筆記具を収納しうるように構成され、
実用新案登録請求の範囲前記筆記具を使用する場合には、前記上部ケース部を下降移動させて前記下部ケース部を外方から被覆すると共に前記開口部を開放した状態で内部に収納された前記筆記具を出し入れして使用し得る一方、不使用時には前記上部ケース部を上昇移動させて前記下部ケース部の上方に配置させて前記筆記具を内部に収納しうる筆記具ケースであって、上部ケース本体部の側面部の径方向両端部には、前記上部ケース本体部を上昇下降操作させうる把持部が設けられていることを特徴とする筆記具ケース。
【請求項２】
前記把持部は、前記上部ケース本体部の径方向両端部において互いに対向する部位に一対に設けられていることを特徴とする請求項１記載の筆記具ケース。
【請求項３】
前記把持部は、前記上部ケース本体部の下端部に設けられていることを特徴とする請求項１記載の筆記具ケース。
【請求項４】
前記把持部は、前記上部ケース本体部の側面部の上下方向に沿って設けられていることを特徴とする請求項１記載の筆記具ケース。
【請求項５】
前記下部ケース部の内部にはポケット部が設けられていることを特徴とする請求項１記載の筆記具ケース。
【請求項６】
前記上部ケース部及び下部ケース部は、断面略長円状に形成されていることを特徴とする請求項３記載の筆記具ケース。
【考案の詳細な説明】
【技術分野】
【０００１】
本考案は、筆記具ケースに係り、特に、伸縮型の筆記具ケースの改良に関する。
【背景技術】
【０００２】
従来、図４乃至図７に示すような伸縮型の筆記具ケース３０が提案されていた。このような筆記具ケース３０は、例えば、全体帆布製であって筒状に形成され、底部３１を有すると共に上部は開口する下部ケース部３２と、下部ケース部３２よりも径大に形成され、底部は開口すると共に上部は開閉可能な開口部３３を有すると共に前記下部ケース部３２の上端部に連結部材３４を介して接合された上部ケース部３５とを有し、内部に筆記具３６を収納しうるように構成されている（特許文献１）。
連結部材３４は、例えば、可撓性及び剛性のある布材により帯状に形成され、上部ケース部３５の内周面部に、上端部は上部ケース部３５の上下方向やや開口部よりに固定されると共に、下端部は下部ケース部３２の外側面部の上端部に固定されて形成されている。
【０００３】
そして、このような従来の筆記具ケース３０にあっては、収納した筆記具３６を取り出して使用する際には、図６及び図７に示すように、上部ケース部３５を下降移動させて下部ケース部３２を連結部材３４を介して外方から被覆した状態にし、前記開口部３３を開放した状態で内部に収納した筆記具３６を出し入れすると共に、不使用時には前記上部ケース３５を上昇移動させて前記下部ケース部３５の上方に配置させて筆記具３６を内部に収納しうるように構成されている。
【０００４】
ところで、このような従来の筆記具ケース３０にあっては、横断面楕円状に形成された上部ケース部３５の長径方向の一端部側のみにおいてやや上端部よりに、側面長方形状であってリング状に形成された操作部３７が設けられ、使用者は上部ケース部３５を上下動させる場合には、この操作部３７を指でつまんで操作していた。
【０００５】
しかしながら、この操作部３７は上部ケース部３５の長径方向の一端部のみにおいてやや上端部よりに設けられていることから、使用者が上部ケース部を上下動させる際に、操作部３７を上下方向に引っ張った場合にも、引張力が所定の幅寸法を有する上部ケース部３５の幅方向に均等にはかからない場合もある。
【０００６】
その結果、上部ケース部３５を上下動させる際に、上部ケース部３５が上下方向における姿勢を崩して下部ケース部３２に対して斜めの姿勢になってしまい、上部ケース部３５が下部ケース部３２に引っ掛かって円滑に上下動しない場合がある、という不具合が存していた。
【特許文献１】特開２００２−３２０５１２号公報
【考案の開示】
【考案が解決しようとする課題】
【０００７】
本考案はこのような従来からの不具合を解決するためのものであって、その課題は、操作性に優れた伸縮型の筆記具ケースを提供することにある。
【課題を解決するための手段】
【０００８】
上記課題達成のため、請求項１記載の考案にあっては、全体筒状に形成され、底部を有すると共に上部は開口する下部ケース部と、前記下部ケース部よりも径大に形成され、底部は開口すると共に上部には開閉可能な開口部が設けられ、前記下部ケース部の上端部に連結部材を介して接合された上部ケース部とを備え、内部に筆記具を収納しうるように構成され、前記筆記具を使用する場合には、前記上部ケース部を下降移動させて前記下部ケース部を外方から被覆すると共に前記開口部を開放した状態で内部に収納された前記筆記具を出し入れして使用し得る一方、不使用時には前記上部ケース部を上昇移動させて前記下部ケース部の上方に配置させて前記筆記具を内部に収納しうる筆記具ケースであって、上部ケース本体部の側面部の径方向両端部には、前記上部ケース本体部を上昇下降操作させうる把持部が設けられていることを特徴とする。
【０００９】
従って、請求項１記載の考案にあっては、使用者が上部ケース部を上下動させる際には、使用者は、上部ケース本体部の側面部の径方向両端部に設けられた把持部を両手で把持して上部ケース部を上下動させることができる。
【００１０】
請求項２記載の考案にあっては、前記把持部は、前記上部ケース本体部の径方向両端部において互いに対向する部位に一対に設けられていることを特徴とする。
従って、請求項２記載の考案にあっては、使用者が上部ケース部を上下動させる際には、使用者は、上部ケース本体部の側面部の径方向両端部に設けられた把持部を両手で把持して上部ケース部を上下動させることができる。
【００１１】
請求項３記載の考案にあっては、前記把持部は、前記上部ケース本体部の下端部に設けられていることを特徴とする。
請求項３記載の考案にあっては、使用者が上部ケース部を上下動させる際には、使用者は、上部ケース本体部の側面部の径方向両端部に設けられた把持部を両手で把持して上部ケース部を上下動させることができる。
【００１２】
請求項４記載の考案にあっては、前記把持部は、前記上部ケース部の側面部の上下方向に沿って設けられていることを特徴とする。
請求項４記載の考案にあっては、使用者が上部ケース部を上下動させる際には、使用者は、上部ケース本体部の側面部の上下方向に設けられた把持部を両手で把持して上部ケース部を上下動させることができる。
【００１３】
請求項５記載の考案にあっては、前記上部ケースの内部にはポケット部が設けられていることを特徴とする。
請求項５記載の考案にあっては、使用者は、前記下部ケース内部のポケット部にクリップ等の小物を収納して持ち歩くことができる。
【００１４】
請求項６記載の考案にあっては、前記上部ケース部及び下部ケース部は、断面略長円状に形成されていることを特徴とする。
【考案の効果】
【００１５】
請求項１記載の考案にあっては、前記上部ケース本体部の側面部の径方向両端部には、前記上部ケース本体部を上昇下降操作させうる把持部が設けられていることから、使用者が上部ケース部を上下動させる際には、使用者は、上部ケース本体部の側面部の径方向両端部に設けられた把持部を両手で把持して上部ケース部を上下動させることができるため、上部ケース部に対し径方向両端部において均等に引っ張ることができ、下部ケース部に対して上下方向における姿勢を崩すことなく、ほぼ垂直に上下動させることができる。
【００１６】
その結果、従来において、この操作部が上部ケース部の長径方向の一端部のみにおいてやや上端部よりに設けられていることにより、使用者が上部ケース部を上下動させる際に、操作部を上下方向に引っ張った場合に、引張力が所定の幅寸法を有する上部ケース部の幅方向に均等にはかからず、上部ケース部が上下方向における姿勢を崩して下部ケース部に対して斜めの姿勢になってしまい、上部ケース部が下部ケース部に引っ掛かって円滑に上下動しない場合がある、という不具合を解消でき、上部ケース部を円滑に上下動させることが可能な伸縮型の筆記具ケースを提供することができる。
【００１７】
請求項２記載の考案にあっては、前記把持部は、前記上部ケース本体部の径方向両端部において互いに対向する部位に一対に設けられていることから、使用者が上部ケース部を上下動させる際には、使用者は、上部ケース本体部の側面部の径方向両端部に設けられた把持部を両手で把持して上部ケース部を上下動させることができるため、請求項１記載の考案の効果に加えて、さらに均等に上部ケース部に引っ張り力を加えることができる。
【００１８】
請求項３記載の考案にあっては、前記把持部は、前記上部ケース本体部の下端部に設けられていることから、使用者が上部ケース部を上下動させる際には、使用者は、上部ケース本体部の側面部の径方向両端部に設けられた把持部を両手で把持して上部ケース部を上下動させることができることから、請求項１記載の効果に加えて、特に上部ケース部を下降させる場合には、スムーズに上部ケース部を下降させることができる筆記具ケース部を提供することができる。
【００１９】
請求項４記載の考案にあっては、前記把持部は、前記上部ケース部の側面部の上下方向に沿って設けられていることから、使用者が上部ケース部を上下動させる際には、使用者は、上部ケース本体部の側面部の上下方向に設けられた把持部を両手で把持して上部ケース部を上下動させることができるため、請求項１記載の効果に加えて、より安定して上部ケース部を把持して上部ケース部を上下動させることが可能となる。
【００２０】
請求項５記載の考案にあっては、前記下部ケース部の内部にはポケット部が設けられていることから、使用者は、前記下部ケース部内部のポケット部にクリップ等の小物を収納して持ち歩くことができるため、より使いやすい筆記具収納ケースを提供することができる。
【００２１】
請求項６記載の考案にあっては、前記上部ケース部及び下部ケース部は、断面略長円状に形成されていることから、請求項１記載の効果に加えて、持ちやすい筆記具ケースを提供することができる。
【図面の簡単な説明】
【００２２】
【図１】本考案に係る筆記具ケースの一実施の形態を示す側面図である。
【図２】本考案に係る筆記具ケースの一実施の形態であって、上部ケース部を下降させて下部ケース部を被覆した状態を示す側面図である。
【図３】本考案に係る筆記具ケースの他の実施の形態を示す側面図である。
【図４】従来の筆記具ケースを示す斜視図である。
【図５】従来の筆記具ケースを示し、図４における縦断面図である。
【図６】従来の筆記具ケースを示し、上部ケース部を下降させて下部ケース部を被覆した状態を示す斜視図である。
【図７】従来の筆記具ケースを示す、図における縦断面図である。
【考案を実施するための最良の形態】
【００２３】
以下、添付図面に示す実施の形態に基づき、本考案を詳細に説明する。
図１に示すように、本実施の形態に係る筆記具ケース１０は、図４乃至図７に示す従来の筆記具ケースと同様に、全体布製であって略筒状に形成され、底部１１を有すると共に上部は開口する下部ケース部１２と、前記下部ケース部１２よりも径大に形成され、底部は開口すると共に上部には開閉可能な開口部１３が設けられ、下部ケース部１２の上端部に連結部材（図示せず）を介して接合された上部ケース部１５とを備え、内部に筆記具を収納しうるように構成されている。
【００２４】
本実施の形態に係る筆記具ケース１０にあっては、図２に示すように、筆記具を使用する場合には、上部ケース部１５を下部ケース部１２に沿って下降移動させて下部ケース部１２を外方から被覆すると共に前記開口部１３を開放した状態で内部に収納された筆記具（図示せず）を出し入れして使用し得る一方、不使用時には前記上部ケース部１５を下部ケース部１２に沿って上昇移動させて前記下部ケース部１２の上方に配置させて前記筆記具を内部に収納しうるように構成されている。以上の構成は、図４乃至図７に示す従来の筆記具ケース３０と同様である。
【００２５】
そして、本実施の形態にあっては、上部ケース本体部１６の側面部１７の下端部には、径方向両端部に、上部ケース本体部１６を上昇下降操作させうる把持部１８、１８が、上部ケース本体部１６の径方向両端部において互いに対向する部位に一対に設けられている。
【００２６】
把持部１８，１８は、本実施の形態にあっては、長方形状の布片を円筒状に形成した状態で上部ケース本体部１６に縫合固定されている。また、図１及び  
図２に示すように、上部ケース本体部１９の内部にはポケット部２０が設けられている。ポケット部２０は側面略正方形状に形成され、上部に開口部２１が形成されており、内部に小物、例えば、クリップ、付箋等を収納することができるように形成されている。
【００２７】
本実施の形態に係る筆記具ケース１０にあっては、使用者が上部ケース本体部１６の開口部１３のファスナー２２を開放し、側面部１７の径方向両端部に設けられた把持部１８、１８を両手で把持して上部ケース部１５を上下動させることができるため、上部ケース部１５を径方向両端部において均等に引っ張ることができ、下部ケース部１２に対して上下方向における姿勢を崩すことなく、ほぼ垂直に上下動させることができる。
【００２８】
その結果、従来において、操作部３７が上部ケース部の長径方向の一端部のみにおいてやや上端部よりに設けられていることにより、使用者が上部ケース部３５を上下動させる際に、操作部３７を上下方向に引っ張った場合に、引張力が所定の幅寸法を有する上部ケース部３５の幅方向に均等にはかからず、上部ケース部３５が上下方向における姿勢を崩して下部ケース部３２に対して斜めの姿勢になってしまい、上部ケース部３５が下部ケース部３２に引っ掛かって円滑に上下動しない場合がある、という不具合を解消でき、上部ケース部１５を円滑に上下動させることが可能な伸縮型の筆記具ケース１０を提供することができる。
【００２９】
また、把持部１８、１８は、上部ケース本体部１６の径方向両端部において互いに対向する部位に一対に設けられていることから、使用者が上部ケース部１５を上下動させる際には、使用者は、上部ケース本体部１６の側面部１７の径方向両端部に設けられた把持部１８、１８を両手で把持して上部ケース部１５を上下動させることができるため、径方向両端部において均等に上部ケース部１５に引っ張り力を加えることができる。
【００３０】
その結果、図２に示すように、上部ケース部１５は下部ケース部１２を被覆する形となり、この形態で机の上に自立した状態で立てることができ、ペンスタンドのように使用することが可能となる。
持ち運ぶ場合には、上部ケース１５を把持部
１８、１８を利用して上昇させて図１に示す形態にして、開口部２１のファスナー２２を閉じることにより、内部の筆記具を収納した筆記具ケース１０として持ち歩くことができる。
【００３１】
図３は本考案に係る筆記具ケースの他の実施の形態を示す。前記実施の形態の構成部材と同一の構成部材には同一の符号を付して説明を省略する。
本実施の形態に係る筆記具ケース２４にあっては、把持部２３、２３が上部ケース本体部の側面部の上下方向に沿って設けられている。本実施の形態にあっては、把持部２３，２３
は細帯からなり全体略円弧状のハンドル状に形成され、上端部及び下端部が上部ケース本体部１６の上端部及び下端部に固定されている。
【００３２】
従って、本実施の形態にあっては、使用者は把持部２３、２３を両手の指でしっかりと把持できることから、より安定して上部ケース部１５を上下動させることが可能となる。
【００３３】
なお、把持部の具体的形状については上記実施の形態に限定されない。
【産業上の利用可能性】
【００３４】
本考案は広く筆記具ケースに適用することができ、産業上の利用可能性を有している。
【符号の説明】
【００３５】
１０  筆記具ケース
１１  底部
１２  下部ケース部
１３  開口部
１５  上部ケース部
１６  上部ケース部本体部
１７  側面部
１８  把持部
１９  下部ケース部本体部
２０  ポケット部
２１  開口部
２２  ファスナー
２３  把持部
２４  筆記具ケース 
３０  筆記具ケース
３１  底部
３２  下部ケース部
３３  開口部
３４  連結部材
３５  上部ケース部
３６  筆記具
３７  操作部
【図１】
0003204373.tif 000003
【図２】
0003204373.tif 000004
【図３】
0003204373.tif 000005
【図４】
0003204373.tif 000006
【図５】
0003204373.tif 000007
【図６】
0003204373.tif 000008
【図７】
0003204373.tif 000009
【手続補正書】
【提出日】平成28年3月10日(2016.3.10)
【手続補正１】
【補正対象書類名】実用新案登録請求の範囲
【補正対象項目名】請求項１
【補正方法】変更
【補正の内容】
【請求項１】
全体筒状に形成され、底部を有すると共に上部は開口する下部ケース部と、前記下部ケース部よりも径大に形成され、底部は開口すると共に上部には開閉可能な開口部が設けられ、前記下部ケース部の上端部に連結部材を介して接合された上部ケース部とを備え、内部に筆記具を収納しうるように構成され、
前記筆記具を使用する場合には、前記上部ケース部を下降移動させて前記下部ケース部を外方から被覆すると共に前記開口部を開放した状態で内部に収納された前記筆記具を出し入れして使用し得る一方、不使用時には前記上部ケース部を上昇移動させて前記下部ケース部の上方に配置させて前記筆記具を内部に収納しうる筆記具ケースであって、上部ケース本体部の側面部の径方向両端部には、前記上部ケース本体部を上昇下降操作させうる把持部が設けられていることを特徴とする筆記具ケース。